(57)【要約】  【課題】  処理モードに好適な処理を処理部にて実行して所望の音声信号とすることができる音声処理装置及び該音声処理装置が搭載された撮像装置を提供する。  【解決手段】  制御部１０は、ＧＣＡ指示信号Ｃ１をＧＣＡ３２ａ，３２ｂへ与えることによって音感度を制御する。また、制御部１０は、遅延指示信号Ｃ２を遅延回路３３１ａ，３３１ｂへ、減衰指示信号Ｃ３を減衰回路３３２ａ，３３２ｂへ、等化指示信号Ｃ４を等化回路３３４ａ，３３４ｂへ与えることによって、ステレオ感を制御する。また、制御部１０は、ＥＱ指示信号Ｃ５をイコライザー３４ａ，３４ｂへ与えることによって周波数に対する信号レベルを制御する。さらに、制御部１０は、ＡＬＣ指示信号Ｃ６をＡＬＣ３５ａ，３５ｂへ与えることによってアタックタイム及びリカバリータイムを制御する。【選択図】        図２
2006173918.tif 000002
【特許請求の範囲】
【請求項１】
音声信号を一又は複数の処理部にて処理する音声処理装置において、
前記処理部は処理内容を変更できるようにしてあり、
前記処理部にて処理する処理内容と該処理内容を指定する指定情報とが対応付けられた対応情報を記憶してある記憶部と、
指定情報の入力を受け付ける受付手段と、
該受付手段にて受け付けた指定情報に対応する処理内容を前記対応情報から抽出し、抽出した処理内容に基づいて前記処理部を制御する制御手段と
を備えることを特徴とする音声処理装置。
【請求項２】
前記指定情報に対応する処理内容の変更を受け付ける手段と、
受け付けた処理内容の変更に基づいて前記対応情報を書き換える書換手段と
を備えることを特徴とする請求項１に記載の音声処理装置。
【請求項３】
前記処理部にて処理する処理内容の変更を受け付ける手段を備え、
前記制御手段は、受け付けた処理内容に基づいて前記処理部を制御するようにしてあること
を特徴とする請求項１又は請求項２に記載の音声処理装置。
【請求項４】
前記処理部は、音声信号の信号レベルを調整する信号レベル調整手段、音声信号の周波数特性を調整する周波数特性調整手段、及び／又は音声信号のダイナミックレンジを調整するレンジ調整手段を備えること
を特徴とする請求項１乃至請求項３のいずれか１つに記載の音声処理装置。
【請求項５】
前記音声信号は、複数チャンネルの音声信号からなり、
前記処理部は、一のチャンネルの音声信号と他のチャンネルの音声信号とを処理するステレオ処理手段を備えること
を特徴とする請求項１乃至請求項４のいずれか１つに記載の音声処理装置。
【請求項６】
画像を撮像する撮像手段と、
音声信号を取得する音声取得手段と、
該音声取得手段によって取得された音声信号を処理する請求項１乃至請求項５のいずれか１つに記載の音声処理装置と、
前記撮像手段によって撮像された画像に係る信号及び前記音声処理装置によって処理された音声信号を記憶媒体に記憶する手段と
を備えることを特徴とする撮像装置。
【発明の詳細な説明】
【技術分野】
【０００１】
本発明は、撮影シーンに応じて、マイクロフォンにて収音した音声の音声処理を制御（設定）することができる音声処理装置及び該音声処理装置が搭載された撮像装置に関する。
【背景技術】
【０００２】
音声処理機能が搭載された従来の撮像装置（例えば、ビデオカメラ）では、設計者があらゆる撮影シーン（場面）を事前に想定して、トータル的に無難な設定、すなわち、どのような撮影シーンにおいてもある程度許容できる音声がＤＶＤ又はＤＶテープなどの記憶媒体に記憶できるように、その収音特性が固定的に設定されていた。マイクロフォン装置をビデオカメラに搭載する場合には、例えば、特許文献１に開示されているような小型かつ軽量であることが好ましい。
【特許文献１】特開平３−１３１１９９号公報
【発明の開示】
【発明が解決しようとする課題】
【０００３】
ところで、業務用のビデオカメラでは、録音レベル計（例えばＶＵメータ）及び録音レベルボリュームが設けられており、利用者（撮影者）は、録音レベル計を確認しながら録音レベルボリュームを調整して、撮影シーンに応じて最適な信号レベルに設定するのが一般的である。一方、利用者に信号レベルの調整まで要求できない民生用のビデオカメラにおいては、記憶媒体が扱えるダイナミックレンジに収まるように、音声信号を自動的にレンジ圧縮処理して確実に記憶媒体に記憶されるようにする必要がある。一般的には、ＡＬＣ(Automatic Level Control)と称されるレンジ圧縮処理を行っている。
【０００４】
レンジ圧縮処理を行うことによって致命的な音声記憶の破綻を防止することができるが、最適な信号レベルに調整して記憶した場合と比べて最適状態での記憶とは言い難い面が多い。例えば、ロックコンサート、ライブ演奏会及びカラオケのように、その殆どが大音響となる場面では、常にＡＬＣによるレンジ圧縮処理のアタックとリカバリーとが繰り返されることになる。したがって、一定であるべき音声ゲインが常に変動することになり、記憶された音声信号を再生した際に違和感が生じるとともに、音歪みが発生しやすくなるという問題があった。逆に、非常に小さな音声を記憶する場面では微弱な音声信号をそのまま記憶することから、再生した際に音が小さくて聞き取れないとの不満が生じていた。
【０００５】
また、周波数特性の設定に関しては、可能な限り低音域及び高音域を広げて（伸ばして）、全音域がフラットな音質特性にすることが好ましいが、現実的には屋内における演奏会撮影のような好条件以外では、広帯域にすることによって、様々な雑音を拾いやすくなるという問題があった。例えば、屋外での撮影では、低音域をある程度落としてやらない場合、風の雑音の影響が大きくなる。また、会話又は環境音が主音源となる一般的な場面では、低音域を押さえ気味にした方が聞き取りやすい音となる。
【０００６】
さらに、屋外撮影では音源との距離が大きいことが想定されるため、ステレオ感を強めに設定した方が豊かな臨場感を得ることができる。一方、狭い室内撮影では、元来、音の広がりがないうえに、壁及び天井からの反射音の影響が大きいため、ステレオ感を強めに設定しても余り意味がなく、ステレオ感を弱めに設定してステレオ処理で劣化するＳ／Ｎの低下を抑制することが好ましい。
【０００７】
上述したように、撮影シーンは多岐に渡ることから、収音特性を固定した場合、あらゆる撮影シーンで最適な音声を記憶することは極めて困難であり、撮影シーンに応じて最適な音声を記憶することができるビデオカメラが要望されていた。
【０００８】
本発明は斯かる事情に鑑みてなされたものであり、音声信号を一又は複数の処理部にて処理する処理内容と該処理内容を指定する指定情報（例えば、処理モード）とが対応付けられた対応情報（例えば、データベース）を用意しておき、指定情報の入力を受け付け、受け付けた指定情報に対応する処理内容を対応情報から抽出して処理部の処理を制御（設定）する構成とすることにより、所望の音声信号とすることができる音声処理装置及び該音声処理装置が搭載された撮像装置の提供を目的とする。
【０００９】
また本発明は、指定情報に対応する処理内容の変更を受け付け、受け付けた処理内容の変更に基づいて対応情報を書き換える構成とすることにより、利用者が好みに応じて、対応情報をカスタマイズすることができる音声処理装置及び該音声処理装置が搭載された撮像装置の提供を目的とする。
【００１０】
また本発明は、音声信号を処理する処理内容の変更を受け付け、受け付けた処理内容に基づいて処理部の処理を制御（設定）する構成とすることにより、所望の音声信号に処理できるように、さらにきめ細やかな設定を行うことができる音声処理装置及び該音声処理装置が搭載された撮像装置の提供を目的とする。
【課題を解決するための手段】
【００１１】
本発明に係る音声処理装置は、音声信号を一又は複数の処理部にて処理する音声処理装置において、前記処理部は処理内容を変更できるようにしてあり、前記処理部にて処理する処理内容と該処理内容を指定する指定情報とが対応付けられた対応情報を記憶してある記憶部と、指定情報の入力を受け付ける受付手段と、該受付手段にて受け付けた指定情報に対応する処理内容を前記対応情報から抽出し、抽出した処理内容に基づいて前記処理部を制御する制御手段とを備えることを特徴とする。
【００１２】
本発明にあっては、処理部にて処理する処理内容が指定情報に対応付けられた対応情報を記憶部に記憶しておく。そして、指定情報の入力を受け付け、受け付けた指定情報に対応する処理内容を対応情報から抽出する。そして、抽出した処理内容に基づいて処理部を制御する。これにより、それぞれの指定情報に応じて音声信号を処理して音質を向上することができる。利用者は、指定情報の入力という極めて簡単な方法で、意図する特性での収音を選択することができる。
【００１３】
本発明に係る音声処理装置は、前記指定情報に対応する処理内容の変更を受け付ける手段と、受け付けた処理内容の変更に基づいて前記対応情報を書き換える書換手段とを備えることを特徴とする。
【００１４】
本発明にあっては、指定情報に対応する処理内容の変更を受け付け、受け付けた処理内容の変更に基づいて対応情報を書き換える。これにより、利用者は、自身の好みに応じて、対応情報をカスタマイズすることができる。
【００１５】
本発明に係る音声処理装置は、前記処理部にて処理する処理内容の変更を受け付ける手段を備え、前記制御手段は、受け付けた処理内容に基づいて前記処理部を制御するようにしてあることを特徴とする。
【００１６】
本発明にあっては、処理部にて処理する処理内容の変更を受け付け、受け付けた処理内容に基づいて処理部を制御する。これにより、処理部は、受け付けた処理内容に基づいた処理を行って、利用者が所望する音声にすることができる。例えば、利用者は、撮影しようとするシーンに合わせて音声処理を変更して、きめ細やかな設定を行うことができる。
【００１７】
本発明に係る音声処理装置は、前記処理部は、音声信号の信号レベルを調整する信号レベル調整手段、音声信号の周波数特性を調整する周波数特性調整手段、及び／又は音声信号のダイナミックレンジを調整するレンジ調整手段を備えることを特徴とする。
【００１８】
本発明にあっては、処理部が、音声信号の信号レベルを調整する信号レベル調整手段、音声信号の周波数特性を調整する周波数特性調整手段、及び／又は音声信号のダイナミックレンジを調整するレンジ調整手段を備えており、処理部を構成する各種手段の処理内容を対応情報に記憶しておくことにより、指定情報に応じて、音声信号の信号レベルを調整したり、音声信号の周波数特性を調整したり、及び／又は音声信号のダイナミックレンジを調整し、音質及び／又は音圧などを向上することができる。
【００１９】
本発明に係る音声処理装置は、前記音声信号は、複数チャンネルの音声信号からなり、前記処理部は、一のチャンネルの音声信号と他のチャンネルの音声信号とを処理するステレオ処理手段を備えることを特徴とする。
【００２０】
本発明にあっては、音声信号が複数チャンネルの音声信号からなる場合、処理部が、一のチャンネルの音声信号と他のチャンネルの音声信号とを処理するステレオ処理手段を備えており、ステレオ処理手段の処理内容を対応情報に記憶しておくことにより、指定情報に応じてステレオ処理を調整し、音質を向上することができる。
【００２１】
本発明に係る撮像装置は、画像を撮像する撮像手段と、音声信号を取得する音声取得手段と、該音声取得手段によって取得された音声信号を処理する上述した各発明のいずれか１つの音声処理装置と、前記撮像手段によって撮像された画像に係る信号及び前記音声処理装置によって処理された音声信号を記憶媒体に記憶する手段とを備えることを特徴とする。
【００２２】
本発明にあっては、撮像手段によって撮像された画像に係る信号と、上述した各音声処理装置によって処理された音声信号とを記憶媒体に記憶する。これにより、信号を再生する場合には、撮影時の臨場感を再現することができる。
【発明の効果】
【００２３】
本発明によれば、音声信号を一又は複数の処理部にて処理する処理内容と該処理内容を指定する指定情報とが対応付けられた対応情報を用意しておき、指定情報の入力を受け付け、受け付けた指定情報に対応する処理内容を対応情報から抽出して処理部の処理を制御（設定）する構成としたので、所望の音声信号とすることができる。利用者は、指定情報の入力という極めて簡単な方法で、意図する特性での収音を選択することができる。
【００２４】
本発明によれば、指定情報に対応する処理内容の変更を受け付け、受け付けた処理内容の変更に基づいて対応情報を書き換える構成としたので、利用者が好みに応じて、対応情報をカスタマイズすることができる。
【００２５】
本発明によれば、音声信号を処理する処理内容の変更を受け付け、受け付けた処理内容に基づいて処理部の処理を制御（設定）する構成としたので、利用者は、収音しようとするシーンに合わせて音声処理を変更して、きめ細やかな設定を行うことができる等、優れた効果を奏する。
【発明を実施するための最良の形態】
【００２６】
以下、本発明をその実施の形態を示す図面に基づいて詳述する。
【００２７】
図１は本発明に係る音声処理装置が搭載されたビデオカメラの構成を示すブロック図である。なお、同図において、本発明に係る音声処理装置として機能する構成を一点鎖線で、音声信号の流れを破線で示す。
ビデオカメラ１は、ＣＰＵで構成された制御部１０を備えている。制御部１０は、フラッシュメモリ１１、ＲＡＭ１２、映像処理部１３、音声処理部３０、操作部１４、表示部１５、ＤＶＤドライブ１６、出力部１７と接続され、これら各部を制御し、フラッシュメモリ１１に予め格納されているコンピュータプログラムに従って種々の機能を実行し、各部と連携して又は単独で本発明における各種の手段として機能し、映像処理部１３にて処理された映像信号と、音声処理部３０にて処理された音声信号とを、ＤＶＤドライブ１６に挿入された記憶媒体（ここではＤＶＤ）２０に記憶する機能を有している。
【００２８】
フラッシュメモリ１１は、記憶内容を書き換え可能であるとともに、電力の供給が遮断された場合でも記憶保持できる不揮発性を有するＥＥＰＲＯＭのようなデバイスである。ＲＡＭ１２は、制御部１０によるコンピュータプログラムの実行時に発生する一時的なデータを記憶するもので、例えばＤＲＡＭ、ＳＤＲＡＭなどにより構成される。
【００２９】
映像処理部１３は、ＣＣＤ又はＣＭＯＳなどの撮像素子１３ａ、ＡＤＣ（アナログ・デジタル・コンバータ）１３ｂ、コーデック１３ｃ、ＤＡＣ（デジタル・アナログ・コンバータ）１３ｄを備えている。撮像素子１３ａは入射される光を光電変換してアナログ形式の映像信号を生成する。ＡＤＣ１３ｂは、撮像素子１３ａにて生成されたアナログ形式の映像信号を、所定のサンプリング周波数でデジタル化してコーデック１３ｃへ出力する。コーデック１３ｃは、デジタル化された映像信号をＭＰＥＧ形式の映像データに符号化する。符号化された映像データは、ＤＶＤドライブ１６によってＤＶＤ２０に記憶される。なお、符号化形式としては、ＤＶ圧縮形式、モーションＪＰＥＧ形式などであってもよく、その映像圧縮規格については限定されるものではない。
【００３０】
一方、ＤＶＤ２０に記憶されているＭＰＥＧ形式の映像データは、ＤＶＤドライブ１６によって読み出され、コーデック１３ｃによって、映像信号に復号化してＤＡＣ１３ｄへ出力される。ＤＡＣ１３ｄは、映像信号をアナログ化して出力部１７へ出力する。出力部１７は、液晶ディスプレイ又はＣＲＴディスプレイなどの表示機器５０の接続が可能になっており、出力部１７から出力された映像信号に係る映像が表示機器５０に表示される。
【００３１】
音声処理部３０は、マイクロフォン部３１、増幅部３２、ステレオ処理部３３、イコライザー部３４、レンジ圧縮部３５、ＡＤＣ部３６を備えている。マイクロフォン部３１は、撮影時の音声を収音するためのものであり、収音した音声を電気的な音声信号に変換して増幅部３２へ出力する。増幅部３２は、音声信号を必要な信号レベルまで増幅してステレオ処理部３３へ出力する。ステレオ処理部３３は、増幅された音声信号を処理してステレオ化してイコライザー部３４へ出力する。
【００３２】
また、イコライザー部３４は、音声信号の周波数特性を調整することによって所望の音質を得るものであり、レンジ圧縮部３５は、後段のＡＤＣ部３６で規制されるダイナミックレンジまで過大音声信号をレンジ圧縮してＡＤＣ部３６へ出力する。つまり、レンジ圧縮部３５は、ダイナミックレンジを調整して音圧を調整するためのものであり、音声信号の最小部分及び最大部分を調整して一定の信号レベルの範囲に収める。例えば、入力された音声信号の信号レベルがある一定のレベルを超えた場合、その入力レベルの大きさに応じて音声信号を圧縮する。ＡＤＣ部３６は、上述した各部によって調整された音声信号をＰＣＭデータに変換する。そして、変換されたＰＣＭデータは、ＤＶＤドライブ１６によって、映像データと関連付けられた状態でＤＶＤ２０に記憶される。
【００３３】
操作部１４は、ビデオカメラ１を操作するための各種のファンクションキーを備えている。本発明に特徴的なファンクションキーは撮影モード設定キー１４ａであり、利用者によって撮影モード設定キー１４ａが押下されることで、撮影モードに関する設定画面が表示部１５に表示される。表示部１５は、液晶ディスプレイ又はＬＥＤディスプレイなどの表示デバイスで構成されており、ビデオカメラ１の動作状態の表示、利用者へ操作入力を促す画面の表示、及び撮影モードに関する表示などを行う。なお、表示部１５をタッチパネル方式とすることにより、操作部１４の各種のファンクションキーのうちの一部又は全部を代用することも可能である。
【００３４】
図２は音声処理部の構成の一例を示すブロック図である。
マイクロフォン部３１は２つの無指向特性を有するＥＣＭ３１ａ，３１ｂを備え、ＥＣＭ３１ａ，３１ｂは音声を収音して音声信号に変換する。なお、ＥＣＭ３１ａ，３１ｂはそれぞれ左用，右用のマイクロフォンであり、左右方向に近接配置されている。増幅部３２は、２つのゲインコントロールアンプ（以下、ＧＣＡという）３２ａ，３２ｂを備え、ＧＣＡ３２ａ，３２ｂは、制御部１０からＧＣＡ指示信号Ｃ１を与えられ、それぞれ、ＥＣＭ３１ａ，３１ｂによって変換された音声信号をＧＣＡ指示信号Ｃ１に基づく利得にて増幅（減衰を含む）する。
【００３５】
つまり、制御部１０はＧＣＡ指示信号Ｃ１を与えることによって音感度を制御することができ、常時大きな音が存在することが想定できる撮影シーンでは、ＧＣＡ３２ａ，３２ｂの利得を下げる設定にしておくことにより、後述するＡＬＣのアタック／リカバリーの繰り返しを軽減することができる。逆に、常時小さな音しか存在しないことが想定できる撮影シーンでは、ＧＣＡ３２ａ，３２ｂの利得を上げる設定にしておくことにより、収音レベルを向上することができる。
【００３６】
ステレオ処理部３３は、遅延回路３３１ａ，３３１ｂ、減衰回路３３２ａ，３３２ｂ、減算回路３３３ａ，３３３ｂ、等化回路３３４ａ，３３４ｂを備えている。遅延回路３３１ａ，３３１ｂは、制御部１０から遅延指示信号Ｃ２を与えられ、それぞれ、ＧＣＡ３２ａ，３２ｂによって増幅された音声信号を、遅延指示信号Ｃ２に基づく遅延量（時間）を遅延させる。減衰回路３３２ａ，３３２ｂは、制御部１０から減衰指示信号Ｃ３を与えられ、それぞれ、遅延回路３３１ａ，３３１ｂによって遅延させた音声信号を、減衰指示信号Ｃ３に基づく利得にて減衰する。
【００３７】
減算回路３３３ａは、ＧＣＡ３２ａによって増幅された音声信号から、ＧＣＡ３２ｂ，遅延回路３３１ｂ，及び減衰回路３３２ｂによって処理された音声信号を減算する。一方、減算回路３３３ｂは、ＧＣＡ３２ｂによって増幅された音声信号から、ＧＣＡ３２ａ，遅延回路３３１ａ，及び減衰回路３３２ａによって処理された音声信号を減算する。等化回路３３４ａ，３３４ｂは、制御部１０から等化指示信号Ｃ４を与えられ、上述した処理（減衰量の可変処理）によって変化した音声信号の周波数特性を、等化指示信号Ｃ４に基づいて適正（補正）化する。
【００３８】
つまり、制御部１０は遅延指示信号Ｃ２、減衰指示信号Ｃ３及び等化指示信号Ｃ４を与えることによってステレオ感を制御することができる。例えば、減衰指示信号Ｃ３による指示は、左音声信号と右音声信号とのステレオ処理（演算処理）における混合比を指示することに相当し、ステレオ感の強弱を制御できることを意味する。また、等化指示信号Ｃ４による指示は、ステレオ処理における混合比を可変することで変化してしまう周波数特性の補正を指示するためのものであり、減衰指示信号Ｃ３に応じて適正に設定する。
【００３９】
ステレオ処理においては、ステレオ感を強くした場合、信号レベルが減衰するため、補正ゲインを高くする必要がある。このことは、ステレオ感の強弱設定がそのまま信号のノイズレベルに影響することを意味し、ステレオ感を強く設定するとＳ／Ｎが劣化し、ステレオ感を弱く設定するとＳ／Ｎが高くなる。音の移動や拡がりが分りやすい反面、環境音が大きいためノイズレベルが気にならない屋外撮影では、ステレオ感を強めに設定することで、臨場感のある収音が可能となる。また、音の拡がりが分りにくく、静かな環境である場合が想定される室内撮影では、ステレオ感を弱めに設定することで、静寂環境でもノイズレベルの気にならない収音が可能となる。
【００４０】
イコライザー部３４は、２つのイコライザー３４ａ，３４ｂを備え、イコライザー３４ａ，３４ｂは、制御部１０からＥＱ指示信号Ｃ５を与えられ、それぞれ、等化回路３３４ａ，３３４ｂによって周波数特性が補正された音声信号をＥＱ指示信号Ｃ５に基づいて周波数に対する信号レベルを調整する。レンジ圧縮部３５は、２つのＡＬＣ３５ａ，３５ｂを備え、ＡＬＣ３５ａ，３５ｂは、制御部１０からＡＬＣ指示信号Ｃ６を与えられ、それぞれ、イコライザー３４ａ，３４ｂによって周波数の信号レベルが調整された音声信号をＡＬＣ指示信号Ｃ６に基づくアタックタイム及びリカバリータイムに設定する。ＡＤＣ部３６は、２つのＡＤＣ３６ａ，３６ｂを備え、ＡＤＣ３６ａ，３６ｂは、それぞれ、ＡＬＣ３５ａ，３５ｂから出力された音声信号をデジタル化する。
【００４１】
ＡＬＣ３５ａ，３５ｂにおいては、リミッタ動作の開始信号レベルや、過渡的な特性であるアタックタイム／リカバリータイムを可変することが可能であり、過大信号レベル入力時の音質に大きな影響を与える。特に、音楽演奏の撮影においてはＡＬＣ３５ａ，３５ｂの特性設定の影響が極めて大きく、設定が適正でない場合は、音割れや音歪みが顕著に発生する。一般的に、静寂部分と急峻な立上がりの過大信号部分との繰り返しからなるピアノ演奏シーンのような収音では、短いアタックタイム設定と長めのリカバリータイム設定とが好ましい。一方、会話のような一般的なシーンでの収音では、長めのアタックタイム設定と短めのリカバリータイム設定とが不自然な信号レベル変動を回避でき、聞き取りやすい音声となる場合が多い。
【００４２】
音声処理部を構成する各部は、いくつかの重要特性を、周辺部品の定数、制御端子への印加電圧、制御レジスタの設定パラメータなどにより任意に設定できるようになっており、これらの設定の組合せがビデオカメラ１の音質を決定することになる。本発明では、制御部１０から指示信号が与えられ、指示信号に基づいて、それぞれの特性が設定され、撮影モード（撮影用途）に応じた音声信号に調整することができる。
【００４３】
撮影モードは、各種撮影に好適な音声となるように各部を自動的に設定するための自動撮影モードと、利用者が所望の音声となるように各部をマニュアル操作で設定するためのマニュアル撮影モードとが用意されており、利用者が撮影モード設定キー１４ａを押下することによって、図３に示すような、撮影モード選択画面が表示部１５に表示される。
【００４４】
図３において自動撮影モードボタン６０ａが選択されると、図４に示すような、自動撮影モード一覧画面が表示部１５に表示される。この一覧画面では、屋内大音量下撮影モードボタン６１、屋内一般音量下撮影モードボタン６２、屋内小音量下撮影モードボタン６３、屋外大音量下撮影モードボタン６４、屋外一般音量下撮影モードボタン６５、屋外小音量下撮影モードボタン６６が表示されており、利用者によっていずれかのボタンが選択された場合、選択された撮影モードに適した音声が記憶されるように各部が調整される。具体的には、各撮影モードに対して各部の設定値が関連付けられた設定値データベースがフラッシュメモリ１１に記憶されており、利用者に選択されることによって、設定値データベースを参照し、選択された撮影モードとなるように各部が設定される。
【００４５】
図５は、設定値データベースの一例を示すテーブル図である。
（１、屋内の大音量下での撮影）
屋内の大音量下での撮影（例えば、コンサート）では、ＧＣＡの利得を標準より下げ、ステレオ処理を標準値に、イコライザー特性を基準値に、ＡＬＣのアタックタイムを早め、逆にＡＬＣのリカバリータイムを遅らせることが好ましいので、屋内大音量下撮影モードボタン６１が押下された場合、制御部１０は、設定値データベースを参照して利得が標準より小さくなる設定値を抽出し、ＧＣＡ指示信号Ｃ１としてＧＣＡへ与える。同様に、制御部１０は、ステレオ処理が標準となる遅延回路、減衰回路及び等化回路の設定値を抽出し、抽出した設定値をそれぞれ遅延指示信号Ｃ２，減衰指示信号Ｃ３，等化指示信号Ｃ４として、遅延回路３３１ａ，３３１ｂ、減衰回路３３２ａ，３３２ｂ及び等化回路３３４ａ，３３４ｂへ与える。また、制御部１０は、周波数特性が標準となる設定値を抽出し、抽出した設定値をＥＱ指示信号Ｃ５として、イコライザー３４ａ，３４ｂへ与える。さらに、制御部１０は、ＡＬＣのアタックタイムが標準より早くなるとともに、リカバリータイムが標準より遅くなる設定値を抽出し、抽出した設定値をＡＬＣ指示信号Ｃ６として、ＡＬＣ３５ａ，３５ｂへ与える。
【００４６】
（２、屋内の一般音量下での撮影）
屋内の一般音量下での撮影（例えば、演奏会）では、ＧＣＡの利得を標準値に、ステレオ処理を標準より弱め、イコライザー特性を基準値に、ＡＬＣのアタックタイム及びリカバリータイムを標準値にすることが好ましいので、屋内一般音量下撮影モードボタン６２が押下された場合、制御部１０は、設定値データベースを参照して利得が標準となる設定値を抽出し、ＧＣＡ指示信号Ｃ１としてＧＣＡへ与える。同様に、制御部１０は、ステレオ処理が標準より弱くなる遅延回路、減衰回路及び等化回路の設定値を抽出し、抽出した設定値をそれぞれ遅延指示信号Ｃ２，減衰指示信号Ｃ３，等化指示信号Ｃ４として、遅延回路３３１ａ，３３１ｂ、減衰回路３３２ａ，３３２ｂ及び等化回路３３４ａ，３３４ｂへ与える。また、制御部１０は、周波数特性が標準となる設定値を抽出し、抽出した設定値をＥＱ指示信号Ｃ５として、イコライザー３４ａ，３４ｂへ与える。さらに、制御部１０は、ＡＬＣのアタックタイム及びリカバリータイムが標準となる設定値を抽出し、抽出した設定値をＡＬＣ指示信号Ｃ６として、ＡＬＣ３５ａ，３５ｂへ与える。
【００４７】
（３、屋内の小音量下での撮影）
屋内の小音量下での撮影では、ＧＣＡの利得を標準より上げ、ステレオ処理を標準より弱め、低音域及び高音域の周波数帯域の信号レベルを標準より上げ、ＡＬＣのアタックタイムを遅らせ、逆にＡＬＣのリカバリータイムを早めることが好ましいので、屋内小音量下撮影モードボタン６３が押下された場合、制御部１０は、設定値データベースを参照して利得が標準より大きくなる設定値を抽出し、ＧＣＡ指示信号Ｃ１としてＧＣＡへ与える。同様に、制御部１０は、ステレオ処理が標準より弱くなる遅延回路、減衰回路及び等化回路の設定値を抽出し、抽出した設定値をそれぞれ遅延指示信号Ｃ２，減衰指示信号Ｃ３，等化指示信号Ｃ４として、遅延回路３３１ａ，３３１ｂ、減衰回路３３２ａ，３３２ｂ及び等化回路３３４ａ，３３４ｂへ与える。また、制御部１０は、低音域及び高音域の周波数帯域の信号レベルが標準より高くなる設定値を抽出し、抽出した設定値をＥＱ指示信号Ｃ５として、イコライザー３４ａ，３４ｂへ与える。さらに、制御部１０は、ＡＬＣのアタックタイムが標準より遅くなるとともに、リカバリータイムが標準より早くなる設定値を抽出し、抽出した設定値をＡＬＣ指示信号Ｃ６として、ＡＬＣ３５ａ，３５ｂへ与える。
【００４８】
（４、屋外の大音量下での撮影）
屋外の大音量下での撮影では、ＧＣＡの利得を標準より下げ、ステレオ処理を標準より強め、低音域の周波数帯域の信号レベルを標準より下げ、ＡＬＣのアタックタイムを早め、逆にＡＬＣのリカバリータイムを遅らせることが好ましいので、屋外大音量下撮影モードボタン６４が押下された場合、制御部１０は、設定値データベースを参照して利得が標準値より小さくなる設定値を抽出し、ＧＣＡ指示信号Ｃ１としてＧＣＡへ与える。同様に、制御部１０は、ステレオ処理が標準より強くなる遅延回路、減衰回路及び等化回路の設定値を抽出し、抽出した設定値をそれぞれ遅延指示信号Ｃ２，減衰指示信号Ｃ３，等化指示信号Ｃ４として、遅延回路３３１ａ，３３１ｂ、減衰回路３３２ａ，３３２ｂ及び等化回路３３４ａ，３３４ｂへ与える。また、制御部１０は、低音域の周波数帯域の信号レベルが標準より低くなる設定値を抽出し、抽出した設定値をＥＱ指示信号Ｃ５として、イコライザー３４ａ，３４ｂへ与える。さらに、制御部１０は、ＡＬＣのアタックタイムが標準より早くなるとともに、リカバリータイムが標準より遅くなる設定値を抽出し、抽出した設定値をＡＬＣ指示信号Ｃ６として、ＡＬＣ３５ａ，３５ｂへ与える。
【００４９】
（５、屋外の一般音量下での撮影）
屋外の一般音量下では、ＧＣＡの利得を標準値に、ステレオ処理を標準より強め、低音域の周波数帯域の信号レベルを標準より下げ、ＡＬＣのアタックタイム及びリカバリータイムを標準値にすることが好ましいので、屋外一般音量下撮影モードボタン６５が押下された場合、制御部１０は、設定値データベースを参照して利得が標準となる設定値を抽出し、ＧＣＡ指示信号Ｃ１としてＧＣＡへ与える。同様に、制御部１０は、ステレオ処理が標準より強くなる遅延回路、減衰回路及び等化回路の設定値を抽出し、抽出した設定値をそれぞれ遅延指示信号Ｃ２，減衰指示信号Ｃ３，等化指示信号Ｃ４として、遅延回路３３１ａ，３３１ｂ、減衰回路３３２ａ，３３２ｂ及び等化回路３３４ａ，３３４ｂへ与える。また、制御部１０は、低音域の周波数帯域の信号レベルが標準より低くなる設定値を抽出し、抽出した設定値をＥＱ指示信号Ｃ５として、イコライザー３４ａ，３４ｂへ与える。さらに、制御部１０は、ＡＬＣのアタックタイム及びリカバリータイムが標準となる設定値を抽出し、抽出した設定値をＡＬＣ指示信号Ｃ６として、ＡＬＣ３５ａ，３５ｂへ与える。
【００５０】
（６、屋外の小音量下での撮影）
屋外の小音量下では、ＧＣＡの利得を上げ、ステレオ処理を標準値に、低音域の周波数帯域の信号レベルを標準より下げ、ＡＬＣのアタックタイムを遅らせ、逆にＡＬＣのリカバリータイムを早めることが好ましいので、屋外小音量下撮影モードボタン６６が押下された場合、制御部１０は、設定値データベースを参照して利得が標準より大きくなる設定値を抽出し、ＧＣＡ指示信号Ｃ１としてＧＣＡへ与える。同様に、制御部１０は、ステレオ処理が標準となる遅延回路、減衰回路及び等化回路の設定値を抽出し、抽出した設定値をそれぞれ遅延指示信号Ｃ２，減衰指示信号Ｃ３，等化指示信号Ｃ４として、遅延回路３３１ａ，３３１ｂ、減衰回路３３２ａ，３３２ｂ及び等化回路３３４ａ，３３４ｂへ与える。また、制御部１０は、低音域の周波数帯域の信号レベルが標準より低くなる設定値を抽出し、抽出した設定値をＥＱ指示信号Ｃ５として、イコライザー３４ａ，３４ｂへ与える。さらに、制御部１０は、ＡＬＣのアタックタイムが標準より遅くなるとともに、リカバリータイムが標準より早くなる設定値を抽出し、抽出した設定値をＡＬＣ指示信号Ｃ６として、ＡＬＣ３５ａ，３５ｂへ与える。
【００５１】
予めフラッシュメモリ１１に、各撮影モードに好適な各部の設定値を記憶しておくことにより、利用者は、表示されている撮影モード一覧画面を見て、所望する撮影モードを選択することによって、収音する音声に対して所望の処理を行うように指示することができる。音声の特性について十分な知識がない利用者であっても、撮影モードを選択することにより自動的に各部の設定がなされるので、利用者に負担がかかることはない。ビデオカメラ１は、フラッシュメモリに記憶されている設定値データベースに基づいて各部の設定を行えるので、極めて簡単に利用者が選択して撮影モードに適した音声に調整してＤＶＤ２０に記憶することができる。調整された音声を記憶するにあたっては、映像処理部にて処理された映像データに関連付けられて記憶される。
【００５２】
一方、図３においてマニュアル撮影モードボタン６０ｂが選択されると、図６に示すような、マニュアル撮影設定画面が表示部１５に表示される。この画面では、マイクロフォン利得調整に係る利得調整ボタン７１、ステレオ処理調整に係るステレオ調整ボタン７２、周波数調整に係る周波数調整ボタン７３、ＡＬＣアタックタイム・リカバリータイム調整に係るＡＬＣ調整ボタン７４が表示されており、利用者によっていずれかのボタンが選択された場合、選択された項目の調整を行う調整画面が表示部１５に表示される。
【００５３】
利得調整ボタン７１が選択された場合、図７に示すような、マイクロフォン利得調整画面が表示される。マイクロフォン利得調整画面では、現在設定されている利得値８１が表示され、利用者は、矢印ボタン８２ａ，８２ｂをクリックすることによって、利得の調整を行うことができる。また、標準値を設定するためのボタン８３が表示されており、利用者はボタン８３をクリックすることによって、利得を標準値に瞬時にして設定することができる。なお、決定ボタン８０ａは設定値を有効にする場合に押下するボタン、キャンセルボタン８０ｂは設定値を無効にする場合に押下するボタンである（以下、同様）。
【００５４】
ステレオ調整ボタン７２が選択された場合、図８に示すような、ステレオ処理調整画面が表示される。ステレオ処理調整画面では、現在設定されている遅延量８４及び減衰量８６が表示され、利用者は、それぞれの項目に対して用意されている矢印ボタン８５ａ，８５ｂ及び８７ａ，８７ｂをクリックすることによって、その項目の調整を行うことができる。また、標準値を設定するためのボタン８８が表示されており、利用者はボタン８８をクリックすることによって、利得を標準値に瞬時にして設定することができる。
【００５５】
周波数調整ボタン７３が選択された場合、図９に示すような、周波数調整画面が表示される。周波数調整画面では、現在設定されている周波数特性８９が表示される。周波数特性は、所定の周波数帯域毎に設定されるようになっており、各周波数帯域に対して用意されている矢印ボタン９０ａ，９０ｂをクリックすることによって、その信号レベルを調整することができる。また、標準値を設定するためのボタン９１が表示されており、利用者はボタン９１をクリックすることによって、利得を標準値に瞬時にして設定することができる。
【００５６】
ＡＬＣ調整ボタン７４が選択された場合、図１０に示すような、ＡＬＣ調整画面が表示される。ＡＬＣアタックタイム・リカバリータイム調整画面では、現在設定されているアタックタイム９２及びリカバリータイム９４が表示され、利用者は、それぞれの項目に対して用意されている矢印ボタン９３ａ，９３ｂ及び９５ａ，９５ｂをクリックすることによって、その項目の調整を行うことができる。また、標準値を設定するためのボタン９６が表示されており、利用者はボタン９６をクリックすることによって、アタックタイム及びリカバリータイムを標準値に瞬時にして設定することができる。各時間を増加させることによってＡＬＣのレンジ圧縮の範囲を正確に決定することができるが、時間を増加させた場合、処理に対する負担が増加してしまい、映像処理及び音声処理に悪影響が生じる虞があるため、検出にかける時間を撮影モードに応じて変更することが好ましい。
【００５７】
そして、利用者によって各項目が設定されると、設定された各設定値となるように指示する指示信号（ＧＣＡ指示信号Ｃ１，遅延指示信号Ｃ２，減衰指示信号Ｃ３，等化指示信号Ｃ４，ＥＱ指示信号Ｃ５，ＡＬＣ指示信号Ｃ６）が生成され、各部へ与えられる。このようにして、各部は、利用者によって設定された設定値に基づいた処理を行って、利用者が所望する音声にすることができる。各調整画面において、利用者は、撮影しようとするシーンに合わせて音声処理を変更して、きめ細やかな設定を行うことができる。また、このようにして調整した増幅部３２、ステレオ処理部３３、イコライザー部３４、レンジ圧縮部３５の処理内容に基づいて、設定値データベースを書き換えるようにしてもよい。このようにすれば、利用者は、自身の好みに応じて、設定値データベースをカスタマイズすることができる。
【００５８】
なお、実施の形態では、表示部１５に各種の設定画面を表示するＯＳＤ表示によって利用者が各種の選択（設定を含む）を行う場合について説明したが、ビデオカメラ１に配設したモード切換スイッチ又はダイヤルなどによって各種の選択を行うようにしてもよく、利用者が容易に選択できる方法であれば限定されるものではない。また、自動撮影モードとして、「屋内大音量下撮影モード」、「屋内一般音量下撮影モード」、…を例として記載したが、利用者が分かりやすいように、「ライブ／カラオケ」、「ピアノ演奏会」、「運動会」などのように具体的な代表シーンを撮影モード名としてもよい。さらに、自動撮影モードの設定値は、予め設計者が決定した設定値をフラッシュメモリ１１に記憶しておいてもよいし、利用者が設定値をカスタマイズして登録できるようにしてもよい。
【００５９】
また、実施の形態では、バスブーストのような任意の周波数変更に係る操作をしやすいようにイコライザー部３４を備える場合について説明したが、ステレオ処理部３３に設けられた等化回路３３４ａ，３３４ｂにて周波数変更に係る操作を行ってもよく、その場合にはイコライザー部３４を設ける必要はない。
【００６０】
さらに、実施の形態では、音声信号をアナログ処理する場合について説明したが、図１１に示すように、まず、ＥＣＭ３１ａ，３１ｂにて変換された音声信号を、それぞれＡＤＣ３６ａ，３６ｂにてデジタル化し、デジタル化した音声信号を各部でデジタル処理するようにしてもよい。
【００６１】
さらにまた、２チャンネルのステレオ方式のマイクロフォンが搭載されたビデオカメラについて説明したが、３チャンネル以上のステレオ方式及びモノラル方式のマイクロフォンの場合についても同様に適用できることは言うまでもなく、フラッシュメモリに記憶する設定値データベースの内容が変更になるだけであって、基本的な構成は同様である。また、記憶媒体としては、ＤＶＤ２０に限定されるものではなく、ＤＶテープのようなシーケンシャル型の記憶媒体、半導体メモリのような記憶媒体であってもよい。もちろん、音声処理装置が搭載されたビデオカメラではなく、録音専用の電子機器であってもよく、その場合には、処理した音声データをカセットテープ、ミニディスク、又は半導体メモリなどの記憶媒体に記憶する。
【図面の簡単な説明】
【００６２】
【図１】本発明に係る音声処理装置が搭載されたビデオカメラの構成を示すブロック図である。
【図２】音声処理部の構成の一例を示すブロック図である。
【図３】撮影モード選択画面の一例を示す模式図である。
【図４】自動撮影モード一覧画面の一例を示す模式図である。
【図５】設定値データベースの一例を示すテーブル図である。
【図６】マニュアル撮影設定画面の一例を示す模式図である。
【図７】マイクロフォン利得調整画面の一例を示す模式図である。
【図８】ステレオ処理調整画面の一例を示す模式図である。
【図９】周波数調整画面の一例を示す模式図である。
【図１０】ＡＬＣ調整画面の一例を示す模式図である。
【図１１】音声処理部の構成の他の一例を示すブロック図である。
【符号の説明】
【００６３】
１  ビデオカメラ
１０  制御部
１１  フラッシュメモリ
１３  映像処理部
１４  操作部
１５  表示部
１６  ＤＶＤドライブ
２０  記憶媒体（ＤＶＤ）
３０  音声処理部
３１  マイクロフォン部
３２  増幅部
３３  ステレオ処理部
３４  イコライザー部
３５  レンジ圧縮部
３６  ＡＤＣ部
Ｃ１  ＧＣＡ指示信号
Ｃ２  遅延指示信号
Ｃ３  減衰指示信号
Ｃ４  等化指示信号
Ｃ５  ＥＱ指示信号
Ｃ６  ＡＬＣ指示信号
【図１】
2006173918.tif 000003
【図２】
2006173918.tif 000004
【図３】
2006173918.tif 000005
【図４】
2006173918.tif 000006
【図５】
2006173918.tif 000007
【図６】
2006173918.tif 000008
【図７】
2006173918.tif 000009
【図８】
2006173918.tif 000010
【図９】
2006173918.tif 000011
【図１０】
2006173918.tif 000012
【図１１】
2006173918.tif 000013